(57)【特許請求の範囲】
【請求項１】
水平な軸周りを回転する回転軸と、
前記回転軸の一部を半径方向外側から取り囲むように前記回転軸に固定されて、前記回転軸と共に前記軸周りを回転する円環状の回転子と、
前記回転子を半径方向外側から取り囲むように形成された円環状の固定子と、
前記固定子を半径方向外側から取り囲む本体部と、前記本体部の軸方向端部に取り付けられて前記回転軸が貫通する軸貫通穴が形成された端板と、を具備し、内部に前記固定子および回転子を収容する固定子枠と、
前記端板に形成されるものであって、前記回転軸を回転自在に支持するように構成された軸受が取り付けられて、軸方向外側に突出する部分の軸方向端部に半径方向に広がる平坦面が形成されて、この平坦面に前記回転軸が貫通するように形成された軸受ハウジング部と、
前記固定子枠の軸方向外側の前記軸受付近に配置されて、前記固定子枠内に液体が流入することを抑制するシール機構と、
を有する回転電機において、
前記シール機構は、
前記端板に固定されて、前記軸貫通穴の半径方向外側に前記軸貫通穴を取り囲むように固定側溝が半径方向に沿って複数形成されて、この固定側溝よりも半径方向外側が円筒上の内周面が形成された端板側固定部と、
前記回転軸の外周部を取り囲むように前記外周部に固定されて、前記固定側溝の凹んでいる部位に対応する位置が突出して且つ突出している部位に対応する位置が凹むように可動側溝が形成されて、この可動側溝が前記固定側溝に軸方向間隙を保つように配置されて、前記可動側溝の軸方向外側には軸方向外側に向かうにつれて直径が大きくなるように半径方向外側に広がるように水受部が形成されて、前記可動側溝の半径方向外側に円筒面が形成されて、当該円筒面が前記内周面に第１の半径方向間隙を保つように配置された回転軸側可動部と、
前記端板側固定部に固定されて前記回転軸側可動部の一部を軸方向外側から塞ぐように形成される部材で、前記水受部の軸中心より上半部の半径方向外側を第２の半径方向間隙を保ちながら取り囲み且つ前記回転軸の外周の上半部を第３の半径方向間隙を保ちながら取り囲み且つ前記水受部の軸方向端部に軸方向間隔をあけて配置されるように形成された上半防水部と、前記水受部の軸中心より下部の一部を軸方向外側から塞ぐように形成されて、内部に排出用流路を形成し前記平坦面よりも下方で下向きに開口する下半防水部と、を備えた蓋部材と、
を有することを特徴とする回転電機。
【請求項２】
前記下半防水部は、下方に開口部が形成された中空の略直方体状の箱型で、内側に排出用流路を形成し、前記開口部から前記液体が排出可能に構成されていること、
を特徴とする請求項１に記載の回転電機。
【請求項３】
水平な軸周りを回転する回転軸と、
前記回転軸の一部を半径方向外側から取り囲むように前記回転軸に固定されて、前記回転軸と共に前記軸周りを回転する円環状の回転子と、
前記回転子を半径方向外側から取り囲むように形成された円環状の固定子と、
前記固定子を半径方向外側から取り囲む本体部と、前記本体部の軸方向端部に取り付けられて前記回転軸が貫通する軸貫通穴が形成された端板と、を具備し、内部に前記固定子および回転子を収容する固定子枠と、
前記端板に形成されるものであって、前記回転軸を回転自在に支持するように構成された軸受が取り付けられて、軸方向外側に突出する部分の軸方向端部に半径方向に広がる平坦面が形成されて、この平坦面に前記回転軸が貫通するように形成された軸受ハウジング部と、
を有する回転電機のシール機構において、
前記シール機構は、前記固定子枠の軸方向外側の前記軸受付近に配置されて、前記固定子枠内に液体が流入することを抑制するものであって、
前記端板に固定されて、前記軸貫通穴の半径方向外側に前記軸貫通穴を取り囲むように固定側溝が半径方向に沿って複数形成されて、この固定側溝よりも半径方向外側が円筒上の内周面が形成された端板側固定部と、
回転軸の外周部を取り囲むように前記外周部に固定されて、前記固定側溝の凹んでいる部位に対応する位置が突出して且つ突出している部位に対応する位置が凹むように可動側溝が形成されて、この可動側溝が前記固定側溝に軸方向間隙を保つように配置されて、前記可動側溝の軸方向外側には軸方向外側に向かうにつれて直径が大きくなるように半径方向外側に広がるように水受部が形成されて、前記可動側溝の半径方向外側に円筒面が形成されて、当該円筒面が前記内周面に第１の半径方向間隙を保つように配置された回転軸側可動部と、
前記端板側固定部に固定されて前記回転軸側可動部の一部を軸方向外側から塞ぐように形成される部材で、前記水受部の軸中心より上半部の半径方向外側を第２の半径方向間隙を保ちながら取り囲み且つ前記回転軸の外周の上半部を第３の半径方向間隙を保ちながら取り囲み且つ前記水受部の軸方向端部に軸方向間隔をあけて配置されるように形成された上半防水部と、前記水受部の軸中心より下部の一部を軸方向外側から塞ぐように形成されて、内部に排出用流路を形成し前記平坦面よりも下方で下向きに開口する下半防水部と、を備えた蓋部材と、
を有することを特徴とするシール機構。
【発明の詳細な説明】
【技術分野】
【０００１】
本発明は、回転電機および軸シール機構に関する。
【背景技術】
【０００２】
電動機等の回転電機は、出力軸となる回転軸と、この回転軸と共に回転する回転子と、この回転子を取り囲む固定子と、固定子を外側から覆う固定子枠と、を有する。
【０００３】
固定子枠は、回転子の軸方向両側の端板と、回転子を半径方向外側から取り囲む本体部と、を有する。回転軸は、端板に取り付けられた軸受によって回転自在に支持されている。
【０００４】
固定子枠と回転軸との隙間にあるシール機構には、回転軸にゴム等のシール材が接触する接触式のものと、非接触式のものとがある。接触式は、ゴム製のオイルシール等が知られており、非接触式はラビリンス方式等が知られている。ラビリンス方式は、例えば特許文献１に開示されているものが知られている。このシール機構は、固定子枠の外側から吹き付けられる水の流入を抑制するためのものである。
【先行技術文献】
【特許文献】
【０００５】
【特許文献１】特開平４−１６８９４６号公報
【発明の概要】
【発明が解決しようとする課題】
【０００６】
回転軸が水平に配置される回転電機の場合、一般的なラビリンス方式のシール機構は、水平から吹き付ける水や、上方から下方に斜めに吹き付ける水に対しては、固定子枠内への流入の抑制効果は高い。これは、回転軸の外周上にある水が、回転による遠心力で外側に飛ばされて、飛ばされた水をフリンジャー等により効果的に排出できるからである。
【０００７】
しかし、回転軸よりも下方から上方に吹き上げる水の流入については、抑制することが困難なことがある。
【０００８】
本発明は上述した課題を解決するためになされたものであり、その目的は、固定子枠内への水等の流入をより効果的に抑制できるようにすることである。
【課題を解決するための手段】
【０００９】
上記目的を達成するための本発明に係る回転電機は、水平な軸周りを回転する回転軸と、前記回転軸の一部を半径方向外側から取り囲むように前記回転軸に固定されて、前記回転軸と共に前記軸周りを回転する円環状の回転子と、前記回転子を半径方向外側から取り囲むように形成された円環状の固定子と、前記固定子を半径方向外側から取り囲む本体部と、前記本体部の軸方向端部に取り付けられて前記回転軸が貫通する軸貫通穴が形成された端板と、を具備し、内部に前記固定子および回転子を収容する固定子枠と、前記端板に形成されるものであって、前記回転軸を回転自在に支持するように構成された軸受が取り付けられて、軸方向外側に突出する部分の軸方向端部に半径方向に広がる平坦面が形成されて、この平坦面に前記回転軸が貫通するように形成された軸受ハウジング部と、前記固定子枠の軸方向外側の前記軸受付近に配置されて、前記固定子枠内に液体が流入することを抑制するシール機構と、を有する回転電機において、前記シール機構は、前記端板に固定されて、前記軸貫通穴の半径方向外側に前記軸貫通穴を取り囲むように固定側溝が半径方向に沿って複数形成されて、この固定側溝よりも半径方向外側が円筒上の内周面が形成された端板側固定部と、前記回転軸の外周部を取り囲むように前記外周部に固定されて、前記固定側溝の凹んでいる部位に対応する位置が突出して且つ突出している部位に対応する位置が凹むように可動側溝が形成されて、この可動側溝が前記固定側溝に軸方向間隙を保つように配置されて、前記可動側溝の軸方向外側には軸方向外側に向かうにつれて直径が大きくなるように半径方向外側に広がるように水受部が形成されて、前記可動側溝の半径方向外側に円筒面が形成されて、当該円筒面が前記内周面に第１の半径方向間隙を保つように配置された回転軸側可動部と、前記端板側固定部に固定されて前記回転軸側可動部の一部を軸方向外側から塞ぐように形成される部材で、前記水受部の軸中心より上半部の半径方向外側を第２の半径方向間隙を保ちながら取り囲み且つ前記回転軸の外周の上半部を第３の半径方向間隙を保ちながら取り囲み且つ前記水受部の軸方向端部に軸方向間隔をあけて配置されるように形成された上半防水部と、前記水受部の軸中心より下部の一部を軸方向外側から塞ぐように形成されて、内部に排出用流路を形成し前記平坦面よりも下方で下向きに開口する下半防水部と、を備えた蓋部材と、を有することを特徴とする。
【００１０】
また、本発明に係るシール機構は、水平な軸周りを回転する回転軸と、前記回転軸の一部を半径方向外側から取り囲むように前記回転軸に固定されて、前記回転軸と共に前記軸周りを回転する円環状の回転子と、前記回転子を半径方向外側から取り囲むように形成された円環状の固定子と、前記固定子を半径方向外側から取り囲む本体部と、前記本体部の軸方向端部に取り付けられて前記回転軸が貫通する軸貫通穴が形成された端板と、を具備し、内部に前記固定子および回転子を収容する固定子枠と、前記端板に形成されるものであって、前記回転軸を回転自在に支持するように構成された軸受が取り付けられて、軸方向外側に突出する部分の軸方向端部に半径方向に広がる平坦面が形成されて、この平坦面に前記回転軸が貫通するように形成された軸受ハウジング部と、を有する回転電機のシール機構において、前記シール機構は、前記固定子枠の軸方向外側の前記軸受付近に配置されて、前記固定子枠内に液体が流入することを抑制するものであって、前記端板に固定されて、前記軸貫通穴の半径方向外側に前記軸貫通穴を取り囲むように固定側溝が半径方向に沿って複数形成されて、この固定側溝よりも半径方向外側が円筒上の内周面が形成された端板側固定部と、回転軸の外周部を取り囲むように前記外周部に固定されて、前記固定側溝の凹んでいる部位に対応する位置が突出して且つ突出している部位に対応する位置が凹むように可動側溝が形成されて、この可動側溝が前記固定側溝に軸方向間隙を保つように配置されて、前記可動側溝の軸方向外側には軸方向外側に向かうにつれて直径が大きくなるように半径方向外側に広がるように水受部が形成されて、前記可動側溝の半径方向外側に円筒面が形成されて、当該円筒面が前記内周面に第１の半径方向間隙を保つように配置された回転軸側可動部と、前記端板側固定部に固定されて前記回転軸側可動部の一部を軸方向外側から塞ぐように形成される部材で、前記水受部の軸中心より上半部の半径方向外側を第２の半径方向間隙を保ちながら取り囲み且つ前記回転軸の外周の上半部を第３の半径方向間隙を保ちながら取り囲み且つ前記水受部の軸方向端部に軸方向間隔をあけて配置されるように形成された上半防水部と、前記水受部の軸中心より下部の一部を軸方向外側から塞ぐように形成されて、内部に排出用流路を形成し前記平坦面よりも下方で下向きに開口する下半防水部と、を備えた蓋部材と、を有することを特徴とする。
【発明の効果】
【００１１】
本発明によれば、回転電機の固定子枠内への水等の流入を、効果的に抑制することが可能である。
【図面の簡単な説明】
【００１２】
【図１】本発明に係る実施形態の回転電機を模式的に示す一部切欠きの部分正断面図である。
【図２】図１のII部を拡大した拡大正断面図である。
【図３】図１のIII部を拡大した拡大正断面図である。
【図４】図１の端板固定部を単体で示す概略正面図である。
【図５】図２の回転軸側可動部を単体で示す概略正面図である。
【図６】図１の蓋部材を単体で示す概略正面図である。
【図７】図６のVII−VII矢視の概略側面図である。
【発明を実施するための形態】
【００１３】
以下、本発明に係る回転電機の一実施形態について図１〜図３を参照して説明する。
【００１４】
図１は、本実施形態の回転電機を模式的に示す一部切欠きの部分正断面図である。図２は、図１のII部を拡大した拡大正断面図である。図３は、図１のIII部を拡大した拡大正断面図である。
【００１５】
図４は、図１の端板２１固定部を単体で示す概略正面図である。図５は、図２の回転軸側可動部７０を単体で示す概略正面図である。図６は、図１の蓋部材８０を単体で示す概略正面図である。図７は、図６のVII−VII矢視の概略側面図である。図７では、軸受ハウジング部２５に形成された取付け面２５ａを二点差線により仮想的に示している。
【００１６】
先ず、本実施形態の回転電機の構成について説明する。
【００１７】
本実施形態の回転電機は、回転軸１０と、回転子１２と、固定子１４と、固定子枠２０と、シール機構５０と、を有する。
【００１８】
回転軸１０は、水平な軸周りを回転する。電動機の場合には出力軸となる。
【００１９】
回転子１２は、円環状の部材で、回転軸１０の一部を半径方向外側から取り囲むように回転軸１０に固定されて、回転軸１０と共に軸周りを回転する。
【００２０】
固定子１４は、回転子１２を半径方向外側から取り囲むように形成された円環状である。
【００２１】
固定子枠２０は、固定子１４を半径方向外側から取り囲む本体部２２と、本体部２２の軸方向端部に取り付けられた端板２１と、を具備する。この固定子枠２０は、内部に固定子１４および回転子１２を収容する。本体部２２には、放熱フィン２３が取り付けられている。この放熱フィン２３は、固定子巻線１５等から発生する熱を外部に放熱するためのものである。
【００２２】
各端板２１それぞれには、軸受ハウジング部２５が形成されて、この軸受ハウジング部２５に軸受１６が取り付けられている。軸受１６は、回転軸１０を回転自在に支持している。
【００２３】
軸受ハウジング部２５は、軸方向外側（図１における右側）に突出しており、この突出した部分の先端には、軸方向外側に面し且つシール機構５０の構成部材が取り付けられる取付け面２５ａが形成されている。この取付け面２５ａには、回転軸１０が貫通可能な軸貫通穴２６が形成される。取付け面２５ａは、半径方向に広がる平坦な面で、略円形である。
【００２４】
シール機構５０は、固定子枠２０の軸方向外側の軸受１６付近に配置されている。このシール機構５０は、固定子枠２０と回転軸１０との間に形成される隙間をシールするもので、固定子枠２０の外側から吹き付けられる水の流入を抑制するためのものである。
【００２５】
ここで、シール機構５０の詳細について説明する。
【００２６】
シール機構５０は、端板側固定部６０と、回転軸側可動部７０と、蓋部材８０と、を有する。
【００２７】
端板側固定部６０は、軸受ハウジング部２５の軸貫通穴２６の周辺に形成される。軸貫通穴２６は、回転軸１０が貫通しているときに、その内周が回転軸１０の外周面に対して所定の空隙９０を保つように形成される（図２、図３）。当該空隙９０の半径方向寸法は、回転軸１０が回転するときに、回転軸１０の外周面が軸貫通穴２６の内面に接触しない程度である。
【００２８】
端板側固定部６０には、複数の固定側溝６１（図４）が形成されている。固定側溝６１は、軸貫通穴２６の半径方向外側に軸貫通穴２６を取り囲むように半径方向に沿って形成されている。
【００２９】
この固定側溝６１の縁、すなわち軸方向に突出している突出部６１ａが、後述する可動側溝７１の凹んでいる部分に入るように構成されている。詳細は後で説明する。
【００３０】
また、固定側溝６１の半径方向外側には、半径方向内側に面する内周面６２が形成される。これは、後で説明する回転軸側可動部７０の外周面に対向する面になる。
【００３１】
回転軸側可動部７０は、回転軸１０の外周部を取り囲むようにその外周部に固定される部材である。
【００３２】
回転軸側可動部７０の外周面は円筒状で、端板側固定部６０の上記内周面６２に第１の半径方向間隙９１（図２、図３）を保つように配置される。
【００３３】
この回転軸側可動部７０には、可動側溝７１（図５）が形成されている。この可動側溝７１は、上記の固定側溝６１の凹んでいる部位に対応する位置が突出して且つ突出している部位に対応する位置が凹むように形成されている。この可動側溝７１は、固定側溝６１に第１の軸方向間隙９７を保つように配置され、固定側溝６１と共に、いわゆるラビリンスシールを形成する。
【００３４】
外周面の軸方向外側且つ可動側溝７１の軸方向外側には、水受部７２が形成される。この水受部７２は、軸方向外側に向かうにつれて直径が大きくなるように半径方向外側に広がるように形成され、その内周の形状は、軸方向外側が径大の部分円錐状である。径が最小の部分は、回転軸１０の外周面に接している。
【００３５】
水受部７２の半径方向外側には、外周部よりも径が小さくなるように段差部７６が形成されている。この段差部７６は、後述する排出用流路９５の一部となる。
【００３６】
蓋部材８０は、取付け面２５ａに固定されている。この蓋部材８０は、回転軸側可動部７０の一部を軸方向外側が塞ぐように形成される部材であって、図６および図７に示しように、穴あき円板状の内板８８と、上半防水部８１と、下半防水部８２と、を備えている。
【００３７】
内板８８は、中央に丸穴８８ａがあいた円板状で半径方向に広がる面が形成され、当該丸穴８８ａは軸貫通穴２６の径よりも大きい。内板８８は、軸貫通穴２６を取り囲むように配置されて、端板２１にボルト等により軸受ハウジング部２５に固定される。このとき、丸穴８８ａの内側が、段差部７６の軸中心より上半部に対して第２の半径方向間隙９２（図２）を保つように固定される。
【００３８】
この第２の半径方向間隙９２の幅は、回転軸１０が回転して段差部７６が周方向に移動しているときに、接触しない程度である。すなわち、所定の回転ぶれがあっても内板８８が段差部７６に接触しない程度の幅である。
【００３９】
上半防水部８１は、部分環板８１ｂと、外板８１ａと、を備える。
【００４０】
部分環板８１ｂは、内板８８に取り付けられた部分環状の板で、軸方向に所定の長さで形成される。この部分環板８１ｂは、内板８８の丸穴８８ａよりも径が大きく、軸中心よりやや下側が下端となり、当該軸中心が上側から被さるように形成される。すなわち、部分環板８１ｂは、半円よりもやや大きい。
【００４１】
外板８１ａは、半径方向に広がる面が形成されて、部分環板８１ｂの軸方向外側端部に取り付けられている。部分環板８１ｂと同様に、半円よりやや大きめの部分穴あき円板である。この外板８１ａは、回転軸１０の外周面に対して第３の半径方向間隙９３（図２）を保ちながら取り囲むように形成される。この第３の半径方向間隙９３の半径方向幅は、回転軸１０が回転しているときにも回転軸１０の外周面に接触しない程度で、後述する第２の軸方向間隙９８の軸方向幅よりも小さい。
【００４２】
また、外板８１ａは、水受部７２の軸方向端部に所定の第２の軸方向間隙９８をあけて配置される。この第２の軸方向間隙９８の軸方向幅は、回転軸１０が回転して水受部７２が周方向に移動しているときに、接触しない程度である。
【００４３】
続いて、下半防水部８２について説明する。下半防水部８２は、下方に開口部が形成された中空の略直方体状の箱型である。箱の内側は排出用流路９５を形成し、当該開口部から外部に排出される。この下半防水部８２の開口部は、取付け面２５ａの下端よりも下方に突出する部分に形成されている。
【００４４】
排出用流路９５は、上述の段差部７６（図３）に溜まった水を排出することができる。排出の状態は後で説明する。
【００４５】
下半防水部８２の上端は、水受部７２の軸中心より下半部の半径方向外側に対して第４の半径方向間隙９４を保つように固定される。第４の半径方向間隙９４の幅は、上記の第２の半径方向間隙９２の幅と同様に形成されている。
【００４６】
続いて、本実施形態の防水作用について、図２および図３における右側から左側に向かって吹き付けられる水が固定子枠２０内に流入することを抑制する状態の例を説明する。
【００４７】
先ず、回転中心よりも上方を防水する状態、すなわち、上半防水部８１の作用について説明する。
【００４８】
水が端板２１に水平に吹き付けると、吹き付けられた水は、外板８１ａと回転軸１０との間の第３の半径方向間隙９３から流入して、水受部７２に到達する。このとき、回転軸１０が回転しているため、水受部７２にある水は、遠心力により水受部７２の傾斜面に沿って、半径方向外側に流れる。
【００４９】
水受部７２の軸方向端部（図２における右側端部）よりもさらに外側（図１の右側）に水が到達した後は、外板８１ａまたは部分環板８１ｂに吹き付けられて、その後下方に流れる。下方に流れた後は、回転軸１０の外周面上に流れ、外側に排出される。
【００５０】
一方、部分環板８１ｂに吹き付けられた水の一部は、段差部７６に残って、その後に内板８８と水受部７２との間の第２の半径方向間隙９２に流入しようとする。しかし、第２の半径方向間隙９２よりも、水受部７２と外板８１ａとの間の第２の軸方向間隙９８の方が幅広なため、第２の軸方向間隙９８により多く水が流れる。仮に、第２の半径方向間隙９２に水が流入しても、ラビリンスシールにより、流入が抑制される。
【００５１】
これにより、軸中心の上半部から固定子枠２０内に水が流入することを抑制できる。
【００５２】
次に、下半防水部８２の作用について説明する。
【００５３】
水が端板２１に水平に吹き付けると、吹き付けられた水は、下半防水部８２と水受部７２との間の第４の半径方向間隙９４から流入して、段差部７６の半径方向外側の空間に流れ込む。当該空間に流れ込んだ水は、下半防水部８２内の排出用流路９５に流れて、下半防水部８２の下方の開口部から図３に示す矢印Ｘの方向に排出される。このとき、当該空間に流れ込んだ水の一部は、第１の半径方向間隙９１に流れ込もうとするが、第１の半径方向間隙９１の半径方向幅よりも排出用流路９５の半径方向幅の方が幅広なため、排出用流路９５に流れ込みやすい。これにより、軸中心の上半部から固定子枠２０内に水が流入することを抑制できる。
【００５４】
また、下半防水部８２は、軸方向外側に開口する部位が小さいため、水平に吹きつけた水が流入しにくい。
【００５５】
また、上述したように、排出用流路９５の開口部は、取付け面２５ａの下端よりも下方に形成されている。仮に、当該開口部が取付け面２５ａの下端よりも上方に形成される場合には、取付け面２５ａに吹き付けられた水は、排出用流路９５の内部を上方に流れて、すなわち逆流して空隙９０まで到達し、固定子枠２０の内部に流入してしまう可能性がある。
【００５６】
これに対して本実施形態では、当該開口部が取付け面２５ａの下端よりも下方に形成されるため、取付け面２５ａ内の下側に吹き付けられた水が、上述のように逆流することを抑制できる。
【００５７】
以上の説明からわかるように本実施形態によれば、固定子枠２０内に水等の流入をより効果的に抑制することができる。また、蓋部材８０の下半防水部８２に排出用流路９５が設けられているため、端板２１に流路を形成するための追加工等が必要ない。よって、より安価にシール機構５０を製作することができる。
【００５８】
本実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００５９】
例えば、固定側溝６１よりも半径方向外側で且つ回転軸１０中心よりも下方に鉛直に延びる溝を設けて、排出用流路に流れ込みやすいようにしてもよい。また、端板側固定部６０は、軸受ハウジング部２５に形成されているが、これに限らない。軸受ハウジング部２５に着脱可能な部材としてもよい。
【００６０】
また、この例では、軸受ハウジング部２５は端板２１と一体に構成されているが、別体でもよい。
【符号の説明】
【００６１】
１０…回転軸、１２…回転子、１４…固定子、１５…固定子巻線、１６…軸受、２０…固定子枠、２１…端板、２２…本体部、２３…放熱フィン、２５…軸受ハウジング、２５ａ…取付け面、２６…軸貫通穴、５０…シール機構、６０…端板側固定部、６１…固定側溝、６１ａ…突出部、６２…内周面、７０…回転軸側可動部、７１…可動側溝、７２…水受部、７６…段差部、８０…蓋部材、８１…上半防水部、８１ａ…外板、８１ｂ…部分環板、８２…下半防水部、８８…内板、８８ａ…丸穴、９０…空隙、９１…第１の半径方向間隙、９２…第２の半径方向間隙、９３…第３の半径方向間隙、９４…第４の半径方向間隙、９５…排出用流路、９７…第１の軸方向間隙、９８…第２の軸方向間隙
【図１】
0005752628.tif 000002
【図２】
0005752628.tif 000003
【図３】
0005752628.tif 000004
【図４】
0005752628.tif 000005
【図５】
0005752628.tif 000006
【図６】
0005752628.tif 000007
【図７】
0005752628.tif 000008